(57)【要約】【課題】  脚を開いた状態にしても、従来より安定した状態で玩具を立った状態に維持することができる玩具用足構造を提供する。【解決手段】  つま先部２７と踵部２５とを有する足部が脛部の下に取り付けられている。踵部２５を脛部２２Ａに取り付ける踵部取付機構を、つま先部側２７から脛部２２Ａを見て脛部２２Ａが直立状態になっているとき及び直立状態から横方向に傾いた傾斜状態になっているときのいずれの状態においても、踵部２５の底面が設置面に全面的に接触するように踵部２５が脛部２２Ａに対して動き得るように構成する。【選択図】図１２
2005224254.tif 000002
【特許請求の範囲】
【請求項１】
つま先部と踵部とを有する足部が脛部の下に取り付けられて構成される玩具用足構造であって、
前記踵部を前記脛部に取り付ける踵部取付機構が、前記つま先部側から前記脛部を見て前記脛部が直立状態になっているとき及び前記直立状態から横方向に傾いた傾斜状態になっているときのいずれの状態においても、前記踵部の底面が設置面に全面的に接触するように前記踵部が前記脛部に対して動き得るように構成されていることを特徴とする玩具用足構造。
【請求項２】
前記踵部取付機構は、前記つま先部側から前記脛部を見た状態で、前記踵部が前記脛部に対して左右に傾き得るように構成されている請求項１に記載の玩具用足構造。
【請求項３】
前記踵部取付機構は、前記脛部の長手方向と直交し且つ前記つま先部と前記踵部が並ぶ方向に延びる回動軸を備え、前記踵部が前記回動軸を中心にして所定の角度範囲内で揺動し得るように構成されている請求項２に記載の玩具用足構造。
【請求項４】
前記回動軸は前記踵部と一体に構成され、前記脛部には前記回動軸を回動自在に支持する回動軸支持構造が設けられている請求項３に記載の玩具用足構造。
【請求項５】
前記踵部取付機構は、前記つま先部側から前記脛部を見た状態で、前記踵部が前記脛部に対してさらに前後に傾き得るように構成されている請求項２に記載の玩具用足構造。
【請求項６】
オートバイ等の移動玩具に人形玩具が乗った状態から、前記移動玩具の一部を変形させて前記人形玩具に装着することにより前記人形玩具とは形態が異なったロボット玩具を構成する形態変形玩具であって、
前記移動玩具は、前記人形玩具の脚部に装着されて前記ロボット玩具の脚部の脛部を構成する１以上の部品から構成される一対の脛部構成部品と、前記人形玩具の上半身に装着されて前記ロボット玩具の上半身の外装を構成する、複数の部品から構成された組立部品とを少なくとも含んで構成され、
前記組立部品は、それぞれ１以上の前記部品から構成され、主として前記人形玩具の前面部側に配置される第１の組立部品構成部と、前記第１の組立部品構成部に連結されて前記人形玩具の背面部側に配置される第２の組立部品構成部と、前記第１及び第２の組立部品構成部を連結する第３の組立部品構成部とを備えており、
前記第１の組立部品構成部乃至前記第３の組立部品構成部は環状に組み合わされて少なくとも前記人形玩具の肩部、股部、前記前面部及び前記背面部を囲む構造を有する前記外装を形成するように構成されており、
前記一対の脛部構成部品は、前記ロボット玩具の脛部とつま先部及び踵部を有する足部とを備えた玩具用足構造を形成するように変形可能に構成され、
前記踵部を前記脛部に取り付ける踵部取付機構は、前記ロボット玩具の一対の脚部が前記ロボット玩具を正面側から見たときに左右に開いている状態及び閉じている状態のいずれの状態においても、前記踵部の底面が設置面に全面的に接触するように前記踵部が前記脛部に対して動き得るように構成されていることを特徴とする形態変形玩具。
【請求項７】
前記踵部取付機構は、前記脛部の長手方向と直交し且つ前記つま先部と前記踵部が並ぶ方向に延びる回動軸を備え、前記踵部が前記回動軸を中心にして所定の角度範囲内で揺動し得るように構成されている請求項６に記載の形態変形玩具。
【発明の詳細な説明】
【技術分野】
【０００１】
本発明は、ロボット玩具等に用いられる玩具用足構造及び該玩具用足構造を備えた形態変形玩具に関するものである。
【背景技術】
【０００２】
実開昭６１−４５９９３号公報の第２図には、つま先部と踵部とを有する足部が脛部の下に脛部に対して前後方向に傾動するように取り付けられて構成された玩具用足構造の一例が示されている。この公知の玩具用足構造は、一対の脚部を前後に開くタイプの人形型のロボット玩具に適用されるものであり、一対の脚部を前後に開いた場合に、常に足部のつま先部と踵部とが設置面に全面的に接触することを可能にする。
【０００３】
また実用新案登録第３０７９２９９号公報の図１乃至図３には、足首に球頭を設け、脛部に球頭を回動自在に受け入れる球座を設けて、足部を脛部に対して自由に回動し得るようにした玩具用足構造が示されている。
【特許文献１】実開昭６１−４５９９３号公報の第２図
【特許文献２】実用新案登録第３０７９２９９号公報の図１乃至図３
【発明の開示】
【発明が解決しようとする課題】
【０００４】
しかしながら前者の公知の構造では、一対の脚部を左右に開いた場合に、つま先部及び踵部の内側縁部のみが設置面と接触することになる。そのためこの公知の構造を一対の脚部を左右に開くタイプの人形型のロボット玩具に適用した場合には、安定した状態でロボット玩具を立った状態に維持し難い問題が生じる。
【０００５】
これに対して後者の公知の構造を採用すると、一対の脚部を横に開いた場合でも足の裏面を全体的に設置面に接触させた状態にすることができる。しかしながら球頭と球座を組み合わせた連結構造では、外部から加わる小さな力によって球頭と球座との間に簡単にすべりが発生してしまい、一対の脚部を開いて安定した状態でロボット玩具を立った状態に維持し難い問題が生じる。また球頭と球座を組み合わせた連結構造を用いると、足と脛部の位置関係を必ず特定の位置関係になるように拘束することができない。そのため形態変形玩具の足部を脛部に連結する場合に、この構造を採用すると、形態変形玩具において足部及や脛部として用いていた部分を変形後のある構成部分に利用する際に、足部及び脛部として用いていた部分の連結状態を固定状態にし難いため、形態変形玩具の設計の自由度が低くなる問題が生じる。
【０００６】
本発明の目的は、横方向に脚を開いた状態にしても、従来より安定した状態で玩具を立った状態に維持することができる玩具用足構造を提供することにある。
【０００７】
本発明の他の目的は、形態変形玩具の設計の自由度を低下させることなく、上記目的を達成できる玩具用足構造を備えた形態変形玩具を提供することにある。
【課題を解決するための手段】
【０００８】
本発明は、つま先部と踵部とを有する足部が脛部の下に取り付けられて構成される玩具用足構造を対象とする。本願明細書において、つま先部とは踵部を除いた足の部分で、踵部よりも前方側に位置する足の部分の全部または主要部を意味する。本発明においては、踵部を脛部に取り付ける踵部取付機構を、つま先部側から脛部を見て脛部が直立状態になっているとき及び直立状態から横方向に傾いた傾斜状態になっているときのいずれの状態においても、踵部の底面が設置面に全面的に接触するように踵部が脛部に対して動き得るように構成する。本発明によれば、脛部の傾きの如何に拘わらず踵部の底面が常に設置面に全面的に接触し、つま先部は脛部が傾くとその縁部の少なくとも一部が設置面と接触する。その結果、本発明によれば原則的に常時、踵部とつま先部の２個所で設置面と接触することになる。踵部の底面と設置面との全面的な接触は、玩具が脚を開いて立っている状態において安定した停止姿勢を維持するのに寄与する。そしてつま先部と設置面との接触は、わずかな外力の印加によって脛部の傾きが変化することを阻止する機能を発揮する。その結果、本発明によれば脚を開いた状態で玩具を設置面上に設置した場合でも、従来より安定した状態で玩具を立った状態に維持することができる。
【０００９】
本発明で用いる踵部取付機構は、具体的には、つま先部側から脛部を見た状態で（足が設置面に設置している状態におけるつま先部側から見た脛部を見た状態で）、踵部が脛部に対して左右に傾き得るように構成することができる。このようにすれば、脛部が横方向に傾いたとしても、脛部に対する踵部の傾きによって踵部の底面を設置面に対して常時接触させた状態にすることができる。このことを実現するより具体的な踵部取付機構としては、脛部の長手方向と直交し且つつま先部と踵部が並ぶ方向に延びる回動軸を備え、踵部がこの回動軸を中心にして所定の角度範囲内で揺動し得るように構成することができる。このような構造にすると、踵部取付機構を少ない部品点数で簡単に構成することができる。またこの場合において、回動軸を踵部と一体に構成し、脛部に回動軸を回動自在に支持する回動軸支持構造を設けると、組立てが容易な踵部取付機構を提供することができる。
【００１０】
なお踵部取付機構をつま先部側から脛部を見た状態で、踵部が脛部に対してさらに前後に傾き得るように構成してもよい。このような動きを実現するには、例えば、実用新案登録第３０７９２９９号公報の図１ないし図３に示された球頭と球座を用いて踵部を脛部に取り付ければよい。このようにした場合であっても、本発明では、つま先部の一部が踵部と別個に設置面と接触するため、多少の外力が加わった場合であっても、踵部取付機構が動いてしまうといった事態が発生することはない。
【００１１】
本発明の玩具用足部は、オートバイ等の移動玩具に人形玩具が乗った状態から、移動玩具の一部を変形させて人形玩具に装着することにより人形玩具とは形態が異なったロボット玩具を構成する形態変形玩具に適用することができる。この形態変形玩具では、移動玩具が、人形玩具の脚部に装着されてロボット玩具の脚部の脛部を構成する１以上の部品から構成される一対の脛部構成部品と、人形玩具の上半身に装着されてロボット玩具の上半身の外装を構成する、複数の部品から構成された組立部品とを少なくとも含んで構成される。組立部品は、それぞれ１以上の部品から構成され、主として人形玩具の前面部側に配置される第１の組立部品構成部と、第１の組立部品構成部に連結されて人形玩具の背面部側に配置される第２の組立部品構成部と、第１及び第２の組立部品構成部を連結する第３の組立部品構成部とを備えているのが好ましい。そして第１の組立部品構成部乃至前記第３の組立部品構成部は、環状に組み合わされて少なくとも人形玩具の肩部、股部、前面部及び背面部を囲む構造を有する外装を形成するように構成するのが好ましい。このような形態変形玩具において、一対の脛部構成部品は、ロボット玩具の脛部とつま先部及び踵部を有する足部とを備えた玩具用足構造を形成するように変形可能に構成する。このようにすると、人形玩具の上半身に堅牢感のある外装をしっかりと装着することができる。さらに第３の組立部品構成部から露出する頭部が、組立部品を人形玩具に取り付ける際の位置決め手段及び移動阻止手段として機能するため、組立部品の人形玩具への装着が容易になる利点が得られる。また一対の脛部構成部品を人形玩具に装着すれば、人形玩具の上半身に比較的大きな外装を装着した場合において、ロボット玩具の上半身に見合った重量の下半身を構成することができ、ロボット玩具の安定性を高めることができる。
【００１２】
この形態変形玩具では、踵部を脛部に取り付ける踵部取付機構に、前述の本発明の玩具用足構造を採用する。すなわち踵部取付機構は、ロボット玩具の一対の脚部がロボット玩具を正面側から見たときに左右に開いている状態及び閉じている状態のいずれの状態においても、踵部の底面が設置面に全面的に接触するように踵部が脛部に対して動き得るように構成する。このようにすれば、上半身の重量が重くなったロボット玩具を脚を開いた状態で設置面上に設置した場合でも、安定した状態で玩具を立った状態に維持することができる。
【００１３】
なおこの形態変形玩具では、踵部取付機構を脛部の長手方向と直交し且つつま先部と踵部が並ぶ方向に延びる回動軸を備え、踵部が回動軸を中心にして所定の角度範囲内で揺動し得るように構成すると、踵部の動きが回動軸によって拘束されるため、脛部とつま先部と踵部とを移動玩具の一部を構成する際に所定の形状に固定するための構造が簡単になる。
【００１４】
また移動玩具がオートバイの場合には、オートバイの２本のタイヤを車軸と直交する方向に２分割可能な構造にする。そして２分割された２本のタイヤのタイヤ半部を、それぞれロボット玩具の両肩部及び両脛部に装着するようにする。このようにすると、あたかもタイヤをロボット玩具の鎧の一部のようにしてロボット玩具に装着できるので、変形前のオートバイの面影を大幅に減じることができ、形態変形玩具の変形度をより高めることができる。
【発明の効果】
【００１５】
本発明によれば左右に脚を開いた状態で玩具を設置面上に設置した場合でも、従来より安定した状態で玩具を立った状態に維持することができる利点が得られる。
【発明を実施するための最良の形態】
【００１６】
以下図面を参照して本発明の実施の形態を詳細に説明する。図１（Ａ）乃至（Ｃ）は、本発明の玩具用足構造を備えた形態変形玩具１の側面図、正面図、背面図及び平面図である。この形態変形玩具１は、オートバイ（移動玩具）３に人形玩具５が乗った状態から、オートバイ３の一部を分解して変形させて人形玩具５に装着することにより人形玩具３とは形態が異なったロボット玩具（図３）に変形するものである。そして図２（Ａ）乃至（Ｃ）は、オートバイ３の側面図、正面図及び平面図である。図３（Ａ）及び（Ｂ）は、形態変形後のロボット玩具２３を右斜め上から見た斜視図及び左下斜めから見た斜視図であり、図４（Ａ）乃至（Ｃ）はロボット玩具２３の正面図、左側面図及び平面図である。
【００１７】
これらの図において、オートバイ（移動玩具）３は、２本のタイヤ７及び９と、燃料タンク１１及びエンジン１２を備えたシャーシ１３と、フロントフォーク１４と、フロントカバー１５と、ハンドル１６と、リアカバー１７と、タイヤカバー１８と、それぞれステップ部２０を備えた２本のマフラー構成部１９及び２１と、アクセサリー６と、着座部８とを備えている。なおこのアクセサリ６は、例えばマシンガン等であり、複数の部品に分解可能である。図１には、最もシンプルな状態のアクセサリ６が示されており、図２にはマシンガンを構成するアクセサリ６´が示されている。後方のタイヤ９は、２本のマフラー構成部１９及び２１の間に挟み込まれるように挟持されている。２本のマフラー構成部１９及び２１の側面には、後に説明する二つ割りしたタイヤ９の半部（９Ａ及び９Ｂ）を嵌合するための嵌合用凹部１９ａが形成さている。なお図３及び図４には、一方のタイヤ半部９Ｂだけを図示してある。フロント側のタイヤ７も二つ割りの半部（７Ａ及び７Ｂ）が組み合わされて構成されている。タイヤ７の半部７Ａ及び７Ｂは、図３及び図４に示すように、それぞれ人形玩具５の肩部の側面に嵌合構造を用いて装着される。
【００１８】
また側面方向から見てフロントカバー１５の後方に位置するハンドル１６は、一対の腕部１６Ａ及び１６Ｂを備えている。後に説明するが、一対の腕部１６Ａ及び１６Ｂの端部には、リアカバー１７の両サイドに設けた一対の凹部１７ａ及び１７ｂ（被係合部）に係合されている一対の凸部１６ａ及び１６ｂ（係合部）が一体に設けられている。一対の腕部１６Ａ及び１６Ｂは、上下及び左右に回動可能または移動可能に設けられている。一対の腕部１６Ａ及び１６Ｂは、変形後には人形玩具５の両肩部の上にそれぞれ載った状態になる。
【００１９】
この例で、２本のマフラー構成部１９及び２１は、人形玩具５の脚部に装着されて図３及び図４に示すロボット玩具２３の脚部２２及び２４の脛部２２Ａ及び２４Ａを構成する一対の脛部構成部品を構成する。また燃料タンク１１、エンジン１２、シャーシ１３、フロントフォーク１４、フロントカバー１５、ハンドル１６及びリアカバー１７が、環状に組み合わされて人形玩具５の脚部５ｃ、腕部５ｂ及び頭部５ａを除いた人形本体部（人形の上半身）の肩部５ｄ、前面部５ｅ、股部５ｇ及び背面部５ｆを取り囲む外装３０を構成するように形態変形する組立部品を構成する。
【００２０】
燃料タンク１１は、後に詳しく説明するように、左右に別れる二つのタンク半部１１Ａ及び１１Ｂが組み合わされて構成されている。そして左右に分かれた二つのタンク半部１１Ａ及び１１Ｂの間を後述するフロント側フレーム１３Ａが通過し得るように、二つのタンク半部１１Ａ及び１１Ｂはリア側フレーム１３Ｂに回動可能に取り付けられている。
【００２１】
エンジン１２は、シャーシ１３に取り付けられる一対のエンジン構成部品１２Ａ及び１２Ｂとから構成される。シャーシ１３は、図２に示すように、フロント側フレーム１３Ａとリア側フレーム１３Ｂとから構成されている。フロント側フレーム１３Ａとフロントフォーク１４とは、所定の角度範囲内において回動自在に連結されている。またリア側フレーム１３Ｂとリアカバー１７とは所定の回動範囲内において回動自在に連結されている。このようにすると、後述する環状の外装３０に含まれる回動連結部の数が増えることになるため、環状の外装の変形が容易になる。
【００２２】
以下図１の状態から図３及び図４に示したロボット玩具に変形していく過程を説明する。まず図１に示す状態から人形玩具５をオートバイ３から下ろし、フロントフォーク１４から前方のタイヤ７を外す。次に一方のマフラー構成部１９又は２１を外し、その後後方のタイヤ９を他方のマフラー構成部１９又は２１から外す。そして次に他方のマフラー構成部を外す。またアクセサリ６及びエンジン構成部品１２Ａ及び１２Ｂを外す。図５（Ａ）は、このときの状態を示している。図５（Ａ）に示された構成が、人形玩具５の上半身に装着される外装３０を形成するために用いられる組立部品の構成である。
【００２３】
次に、図５（Ａ）に太い矢印で示すように、ハンドル１６の腕部１６Ａ及び１６Ｂを上方に回動して、図５（Ｂ）に示した状態にする。そして次に図６（Ａ）及び（Ｂ）に示すように燃料タンク１１のタンク半部１１Ａ及び１１Ｂを左右方向に開く。二つのタンク半部１１Ａ及び１１Ｂの間に形成する隙間Ｇは、フロント側フレーム１３Ａがその隙間を通る（または二つのタンク半部１１Ａ及び１１Ｂがフロント側フレーム１３Ａの両側に沿って反時計回り方向に回動し得る）幅寸法を有している。
【００２４】
次に図７（Ａ）に示すように、フロントカバー１５を反時計回り方向に回動して、フロントカバー１５と燃料タンク１１との係合を解除した後、図７（Ｂ）に示すように、二つのタンク半部１１Ａ及び１１Ｂをフロント側フレーム１３Ａの両側に沿って反時計回り方向に回動させる。またリアカバー１７をリア側フレーム１３Ｂに対して時計回り方向に回動する。またこのとき２本のフロントフォーク１４を中間部分で内側に折り曲げる。フロントフォーク１４は、２つのフォーク部分１４Ａ及び１４Ｂが回動機構を介して連結された構造を有している。リアカバー１７の着座部側のカバー部分１７Ａは反転可能にリアカバー本体１７Ｂに支持されている。カバー部分１７Ａの裏面には人形玩具に設けられた後述する被係合部（図９の符号５ｈで示した部分参照）と係合する係合部１７Ｃが設けられている。図７（Ｂ）は、カバー部材１７Ａを反転した状態を示している。
【００２５】
環状の外装３０を構成する場合には、図８（Ａ）に示すように、フロントカバー１５及びフロント側フレーム１３Ａを更に回動させて、ハンドル１６の一対の腕部１６Ａ及び１６Ｂの端部に設けた凸部１６ａ及び１６ｂをリアカバー１７に設けた凹部１７ａ及び１７ｂに嵌合する。環状の外装３０を単独で完成した状態は、図８（Ｂ）に示すとおりになる。
【００２６】
人形玩具５に外装３０を装着する場合には、図９及び図１０に示すように、ハンドル１６の一対の腕部１６Ａ及び１６Ｂをリアカバー１７に結合させる前に、人形玩具５を外装３０の内部に挿入する。人形玩具５の股部がフロント側フレーム１３Ａの上に乗り、一対の腕部１６Ａ及び１６Ｂが人形玩具５の両肩の上に位置するように人形玩具を配置する。このとき人形玩具５の背面部に設けた係合用凹部からなる被係合部５ｈに、リアカバー１７の着座部側のカバー部分１７Ａの裏面側に設けたピン状の係合部１７Ｃを係合させる。これによって、人形玩具５の外装３０に対する位置決めが完了し、人形玩具５と外装３０との間で不必要なガタツキが発生するのを防止することができる。
【００２７】
外装３０を人形玩具５に装着した後、図３及び図４に示すように、人形玩具５の両腕部にアクセサリ６をそれぞれ装着し、人形玩具５の肩部にタイヤ７の半部７Ａ及び７Ｂを装着し、フロント側フレーム１３Ａの両側にエンジン構成部品１２Ａ及び１２Ｂをそれぞれ嵌合構造を介して装着する。
【００２８】
上記実施の形態では、オートバイのフロントカバー１５、フロントフォーク１４及びフロント側フレーム１３Ａを含んで第１の組立部品構成部が構成されている。この第１の組立部品構成部は、主として人形玩具５の前面部５ｅ側に配置される。また燃料タンク１１、着座部８、リア側フレーム１３Ｂ及びリアカバー１７を含んで第２の組立部品構成部が構成されている。この第２の組立部品構成部は、第１の組立部品構成部に連結されて人形玩具５の背面部５ｆ側に配置される。さらにハンドル１６を含んで第３の組立部品構成部が構成されている。この第３の組立部品構成部は、第１及び第２の組立部品構成部を連結する機能を果す。
【００２９】
次に先に外した２本のマフラー構成部１９及び２１のステップ部２０側に形成された孔部に、人形玩具５の脚部の脛部及び足部を挿入する。２本のマフラー構成部１９及び２１のステップ部２０とは反対側に位置する端部には、マフラー構成部１９をロボット玩具２３の脛部２２Ａ及び２４Ａ及び足部として用いる場合の足部のつま先部２５を構成する部品２６と踵部２７を構成する部品２８とが変形可能に設けられている。
【００３０】
図１１（Ａ）及び（Ｂ）は、マフラー構成部１９がロボット玩具２３の脚部２２を構成するために変形した状態の側面図及び背面図をそれぞれ示している。また図１２（Ａ）及び（Ｂ）は、図１１（Ａ）のＶＩＡ−ＶＩＡ線断面図及び図１１（Ｂ）のＶＩＢ−ＶＩＢ線断面図を示している。マフラー構成部１９の構成部本体１９Ａは二つ割の成形品が組み合わされて構成されている。図１２（Ｂ）によく示されるように、ロボット玩具２３の脛部２２Ａを構成する構成部本体１９Ａの内部には構成部本体１９Ａの内部を上下方向（脛部２２Ａの長手方向）に延びる壁部分１９Ｂを備えた仕切り壁部１９Ｃが形成されている。壁部分１９Ｂには、壁部分１９Ｂと直交（脛部の長手方向と直交）し、つま先部２７を構成する部品２８と踵部２５を構成する部品２６とが並ぶ方向に延びる回動軸３１が踵部２５を構成する部品２６と一体に設けられている。なおこの踵部２５を構成する部品２６は、回動軸３１を構成する部分を含めて二つ割の成形品によって構成されている。回動軸３１は壁部分１９Ｂに回動自在に支持されているため、踵部２５を構成する部品２６は回動軸３１を中心にして所定の角度範囲内で左右に揺動する。
【００３１】
仕切り壁部１９Ｃの横方向に延びる壁部分１９Ｄには、人形玩具５の足の先端部に嵌合される突起３３が取り付けられている。人形玩具５の足の先端部には、この突起３３が嵌合する嵌合孔が形成されている。
【００３２】
つま先部２７を構成する部品２８は、構成部本体１９Ａの対向する一対の側壁部に両端が固定された回動軸３７を中心にして回動する。図１１に示す状態は、つま先部２７を構成するための部品２８が９０度回転している状態を示している。この状態では、脛部２２Ａを構成する構成部本体１９Ａの一部分３５が前方側に開いて、その先端部がつま先部２７を構成するための部品２８の上に乗った状態になっている。構成部本体１９Ａの一部分３５は、公知のヒンジ構造を介して構成部本体１９Ａに連結されている。
【００３３】
構成部本体１９Ａの対向する一対の側壁部と踵部２５を構成する部品２６との間には、部品２６が回動軸３１を中心にして前述の所定の角度範囲内を揺動することを許容する隙間ｇ（図１３参照）が形成されている。この隙間ｇは、ロボット玩具２３の一対の脚部（１９，２１）を横方向（ロボット玩具２３を正面から見たときの左右方向）に広げる（傾ける）角度の大きさに応じて定まる。図１３は、ロボット玩具の脚部２２，２４が左右方向に傾いた場合においても、踵部２５が設置面３８に対してその底面を全面的に接触させることができることを概念的に示している。ロボット玩具２３の脛部２２Ａ及び２４Ａを構成する構成部本体１９Ａ及び２１Ａの側壁部と踵部２５を構成する部品２６とが接触するまで、ロボット玩具２３の脚部は左右に広げれることが可能である。したがって前述の隙間ｇは、脚部を広げる角度に応じて任意に定められることになる。
【００３４】
この実施の形態の踵部取付機構は、原理的には回動軸３１と回動軸３１を回動自在に支持する壁部分１９Ｂとによって構成されている。そして壁部分１９Ｂが回転軸支持構造を構成することになる。この踵部取付機構は、ロボット玩具２３の一対の脚部２２，２４がロボット玩具を正面側から見たときに左右に開いている状態及び閉じている状態のいずれの状態においても、踵部２５の底面が設置面に全面的に接触するように踵部２５が脛部（２２Ａ，２４Ａ）に対して動き得るように構成されている。このようにすれば、上半身の重量が重くなったロボット玩具を脚を開いた状態で設置面３８上に設置した場合でも、安定した状態で玩具を立った状態に維持することができる。
【００３５】
なお踵部取付機構をつま先部側から脛部を見た状態で、踵部２５が脛部に対してさらに前後に傾き得るように構成してもよい。このような動きを実現するには、図１４に概念的に示すように、踵部取付機構を踵部２５を構成する部品２６に一体に設けられた球頭３９と構成部本体（１９Ａ，２１Ａ）側に設けられて球頭３９を回転自在に受け入れる球座４１とを用いて構成する。このようにした場合であっても、つま先部２７の一部が踵部２５とは別個に設置面と接触する上、構成部本体（１９Ａ，２１Ａ）の対向する一対の側壁部が踵部２５と接触すことにより踵部２５の動きが規制されるため、多少の外力が加わった場合であっても、踵部取付機構が動いてしまうといった事態が発生することはない。
【００３６】
なお上記の実施の形態では、オートバイの２本のタイヤ７，９を車軸と直交する方向に２分割可能な構造にしている。そして２分割された２本のタイヤのタイヤ半部を、それぞれロボット玩具の両肩部及び両脛部に装着するようにする。なお１つのタイヤ半部は図示を省略してある。このようにするとタイヤをロボット玩具の鎧の一部のようにしてロボット玩具に装着できるので、変形前のオートバイの面影を大幅に減じることができて、形態変形玩具の変形度をより高めることができる。
【００３７】
上記実施の形態は、移動玩具としてオートバイを用いたが、飛行機、船等のその他の移動玩具を用いる形態変化玩具にも本発明を適用できる。また上記実施の形態は、２本足で立つロボット玩具の足構造を本発明を提供したものであるが、本発明の玩具用足構造は４本足のロボット玩具の足構造に適用してもよく、足の本数は限定されるものではない。
【図面の簡単な説明】
【００３８】
【図１】（Ａ）乃至（Ｃ）は、本発明の玩具用足構造を備えた形態変形玩具の側面図、正面図、背面図及び平面図である。
【図２】（Ａ）乃至（Ｃ）は、オートバイの側面図、正面図及び平面図である。
【図３】（Ａ）及び（Ｂ）は、形態変形後のロボット玩具を右斜め上から見た斜視図及び左下斜めから見た斜視図である。
【図４】（Ａ）乃至（Ｃ）はロボット玩具の正面図、左側面図及び平面図である。
【図５】（Ａ）は組立部品の構成を示す斜視図であり、（Ｂ）は（Ａ）から一部変形した状態を示す組立部品の斜視図である。
【図６】（Ａ）は、図５（Ｂ）の状態から更に変形した状態を示す組立部品の斜視図であり、（Ｂ）は（Ａ）から一部変形した状態を示す組立部品の斜視図である。
【図７】（Ａ）は、図６（Ｂ）の状態から更に変形した状態を示す組立部品の斜視図であり、（Ｂ）は（Ａ）から一部変形した状態を示す組立部品の斜視図である。
【図８】（Ａ）は、図７（Ｂ）の状態から更に変形した状態を示す組立部品の斜視図であり、（Ｂ）は（Ａ）から一部変形した状態を示す組立部品の斜視図である。
【図９】人形玩具に外装を装着する場合を説明するために用いる図である。
【図１０】人形玩具に外装を装着した場合を説明するために用いる図である。
【図１１】（Ａ）及び（Ｂ）は、マフラー構成部がロボット玩具の脚部を構成するために変形した状態の側面図及び背面図をそれぞれ示している。
【図１２】（Ａ）及び（Ｂ）は、図１１（Ａ）のＶＩＡ−ＶＩＡ線断面図及び図１１（Ｂ）のＶＩＢ−ＶＩＢ線断面図を示している。
【図１３】実施の形態の踵部取付機構の動きを概念的に説明するために用いる図である。
【図１４】踵部取付機構の変形例の動きを概念的に説明するために用いる図である。
【符号の説明】
【００３９】
１  形態変形玩具
３  オートバイ（移動玩具）
５  人形玩具
７，９  タイヤ
１１  燃料タンク
１１Ａ，１１Ｂ  タンク半部
１２  エンジン
１３  シャーシ
１３Ａ  フロント側フレーム
１３Ｂ  リア側フレーム
１４  フロントフォーク
１５  フロントカバー
１６  ハンドル
１６Ａ，１６Ｂ  腕部
１７  リアカバー
１９，２１  マフラー構成部
２３  ロボット玩具
２５  踵部
２７  つま先部
３０  外装
３１  回動軸
【図１】
2005224254.tif 000003
【図２】
2005224254.tif 000004
【図３】
2005224254.tif 000005
【図４】
2005224254.tif 000006
【図５】
2005224254.tif 000007
【図６】
2005224254.tif 000008
【図７】
2005224254.tif 000009
【図８】
2005224254.tif 000010
【図９】
2005224254.tif 000011
【図１０】
2005224254.tif 000012
【図１１】
2005224254.tif 000013
【図１２】
2005224254.tif 000014
【図１３】
2005224254.tif 000015
【図１４】
2005224254.tif 000016